(57)【特許請求の範囲】
【請求項１】
熱源装置（20）と、
水を貯留するタンク（40）と、
前記タンク（40）の水が循環する水回路（50）と、
前記水回路（50）に接続する第１流路（25a）を有する熱交換器（25）と、
前記熱源装置（20）及び前記水回路（50）を制御する制御器（80）とを備え、
前記制御器（80）は、
前記熱源装置（20）によって前記熱交換器（25）の第１流路（25a）の水を直接又は間接的に加熱する第１運転と、
前記第１運転の終了後に、前記熱源装置（20）によって前記熱交換器（25）の第１流路（25a）の水を直接又は間接的に冷却する第２運転とを実行させ、
前記制御器（80）は、前記第１運転中において、前記水回路（50）のスケールの量に応じて、前記第２運転を実行させるか否かを判定する第１判定動作を行う
ことを特徴とする給湯装置。
【請求項２】
請求項１において、
前記制御器（80）は、前記第１判定動作において、前記第１運転の少なくとも運転時間の積算値に基づいて前記第２運転を実行させるか否かを判定する
ことを特徴とする給湯装置。
【請求項３】
請求項２において、
前記制御器（80）は、前記第１判定動作において、前記第１運転の前記運転時間、前記水回路（50）の水の温度、及び前記水回路（50）の圧力に基づく積算値が所定値を越えると、前記第２運転を実行させる
ことを特徴とする給湯装置。
【請求項４】
請求項１〜３のいずれか１つにおいて、
前記水回路（50）のスケールの量に対応する指標を検出する検出部（62）を備え、
前記制御器（80）は、前記第１判定動作において、前記検出部（62）の検出値に基づいて前記第２運転を実行させるか否かを判定する
ことを特徴とする給湯装置。
【請求項５】
熱源装置（20）と、
水を貯留するタンク（40）と、
前記タンク（40）の水が循環する水回路（50）と、
前記水回路（50）に接続する第１流路（25a）を有する熱交換器（25）と、
前記熱源装置（20）及び前記水回路（50）を制御する制御器（80）とを備え、
前記制御器（80）は、
前記熱源装置（20）によって前記熱交換器（25）の第１流路（25a）の水を直接又は間接的に加熱する第１運転と、
前記第１運転の終了後に、前記熱源装置（20）によって前記熱交換器（25）の第１流路（25a）の水を直接又は間接的に冷却する第２運転とを実行させ、
前記制御器（80）は、前記第２運転中において、前記水回路（50）のスケールの量に応じて、前記第２運転を終了させるか否かを判定する第２判定動作を行う
ことを特徴とする給湯装置。
【請求項６】
請求項５において、
前記制御器（80）は、前記第２判定動作において、前記第２運転中の前記水回路（50）の水の温度が所定値を下回ると、前記第２運転を終了させる
ことを特徴とする給湯装置。
【請求項７】
請求項５又は６において、
前記制御器（80）は、前記第２判定動作において、前記第２運転の少なくとも運転時間に基づいて前記第２運転を終了させるか否かを判定する
ことを特徴とする給湯装置。
【請求項８】
請求項７において、
前記制御器（80）は、前記第２判定動作において、前記第２運転の前記運転時間、前記水回路（50）の水の温度、及び前記水回路（50）の圧力に基づく値が所定値を下回ると、前記第２運転を終了させる
ことを特徴とする給湯装置。
【請求項９】
請求項５〜８のいずれか１つにおいて、
前記水回路（50）のスケールの量に関する指標を検出する検出部（62）を備え、
前記制御器（80）は、前記第２判定動作において、前記検出部（62）の検出値に基づいて前記第２運転を終了させるか否かを判定する
ことを特徴とする給湯装置。
【請求項１０】
熱源装置（20）と、
水を貯留するタンク（40）と、
前記タンク（40）の水が循環する水回路（50）と、
前記水回路（50）に接続する第１流路（25a）を有する熱交換器（25）と、
前記熱源装置（20）及び前記水回路（50）を制御する制御器（80）とを備え、
前記制御器（80）は、
前記熱源装置（20）によって前記熱交換器（25）の第１流路（25a）の水を直接又は間接的に加熱する第１運転と、
前記第１運転の終了後に、前記熱源装置（20）によって前記熱交換器（25）の第１流路（25a）の水を直接又は間接的に冷却する第２運転とを実行させ、
前記制御器（80）は、前記第１運転中において、前記水回路（50）のスケールの量に応じて、前記第２運転を実行させるか否かを判定する第１判定動作を行い、
前記第２運転において低温水を前記熱交換器（25）の第１流路（25a）に供給する供給部（51,63）を備えている
ことを特徴とする給湯装置。
【請求項１１】
請求項１〜１０のいずれか１つにおいて、
前記制御器（80）は、前記第１運転が終了する毎に、前記第２運転を実行させる
ことを特徴とする給湯装置。
【請求項１２】
請求項１〜１１のいずれか１つにおいて、
前記水回路（50）は、該水回路（50）の水を循環させる第１ポンプ（53）を有し、
前記制御器（80）は、前記第２運転において、前記第１ポンプ（53）を運転させる
ことを特徴とする給湯装置。
【請求項１３】
請求項１２において、
前記水回路（50）は、前記第２運転において、前記熱交換器（25）の第１流路（25a）で冷却された水を、前記タンク（40）をバイパスさせて前記第１流路（25a）に戻す流路を形成するバイパス形成部（B）を含む
ことを特徴とする給湯装置。
【請求項１４】
請求項１２又は１３において、
前記水回路（50）は、前記第２運転において、前記熱交換器（25）の第１流路（25a）で冷却された水を前記タンク（40）の低温部（L）に戻す低温戻し流路（58）を含む
ことを特徴とする給湯装置。
【請求項１５】
請求項１２〜１４のいずれか１つにおいて、
前記水回路（50）は、前記第２運転において、前記水回路（50）の水の温度に応じて、前記熱交換器（25）の第１流路（25a）で冷却された水を、前記タンク（40）における水温の異なる部分に戻す流路変更部（C）を含む
ことを特徴とする給湯装置。
【請求項１６】
請求項１５において、
前記流路変更部（C）は、
前記第２運転において、前記水回路（50）の水の温度が第１値より高い場合、前記熱交換器（25）の第１流路（25a）で冷却された水を前記タンク（40）の第１部（H）に戻し、
前記第２運転において、前記水回路（50）の水の温度が前記第１値以下の第２値より低い場合、前記熱交換器（25）の第１流路（25a）で冷却された水を前記タンク（40）の前記第１部より温度が低い第２部（M,L）に戻す
ことを特徴とする給湯装置。
【請求項１７】
請求項１〜１１のいずれか１つにおいて、
前記水回路（50）は、水を循環させる第１ポンプ（53）を有し、
前記制御器（80）は、前記第２運転において、前記第１ポンプ（53）を停止させることを特徴とする給湯装置。
【請求項１８】
請求項１〜１７のいずれか１つにおいて、
前記熱交換器（25）は、前記第１流路（25a）を流れる水と熱交換する熱媒体が流れる第２流路（25b）を有し、
前記第２流路（25b）及び第２ポンプ（71）を有するとともに、前記熱媒体が循環する熱媒体回路（70）をさらに備え、
前記第１運転は、前記熱源装置（20）によって前記熱媒体回路（70）の熱媒体を加熱するとともに、加熱された該熱媒体によって前記第１流路（25a）の水を加熱する運転であり、
前記第２運転は、前記熱源装置（20）によって前記熱媒体回路（70）の熱媒体を冷却するとともに、冷却された熱媒体によって前記第１流路（25a）の水を冷却する運転である
ことを特徴とする給湯装置。
【請求項１９】
請求項１〜１８のいずれか１つにおいて、
前記熱源装置（20）は、冷媒が循環して冷凍サイクルを行う冷媒回路（21）を有し、
前記熱交換器（25）は、前記冷媒回路（21）の冷媒が流れる第２流路（25b）を有し、
前記冷媒回路（21）は、
前記第１運転において前記第２流路（25b）で冷媒が放熱する第１冷凍サイクルと、前記第２運転において前記第２流路（25b）で冷媒が蒸発する第２冷凍サイクルとを切り換える切換機構（26）と、
前記第１運転において前記冷媒が前記第２流路（25b）を流れる方向と、前記第２運転において前記冷媒が前記第２流路（25b）を流れる方向とを同じとする流路規制機構（30）とを有する
ことを特徴とする給湯装置。
【請求項２０】
請求項１〜１９のいずれか１つにおいて、
前記水回路（50）は、
前記第２運転において前記水回路（50）に水を供給する給水部（63）と、
前記第２運転において前記水回路（50）の水を排出する排水部（64）とを有する
ことを特徴とする給湯装置。
【発明の詳細な説明】
【技術分野】
【０００１】
本開示は、給湯装置に関する。
【背景技術】
【０００２】
タンクの水を熱交換器で加熱し、加熱した水をタンク内に貯留する給湯装置が知られている。特許文献１の給湯装置は、熱交換器によって水を加熱する運転の後、水回路の水を入れ替える運転（スケール生成防止運転）を行う。このスケール生成防止運転では、水回路のうち熱交換器とタンクとの間の部分の水を、タンク内の低温水と入れ替える。これにより、この部分の水の温度が低下する。この結果、水中からスケール（例えば炭酸カルシウム）が生成されることを防止できる。
【先行技術文献】
【特許文献】
【０００３】
【特許文献１】特開２００６−２７５４４５号公報
【発明の概要】
【発明が解決しようとする課題】
【０００４】
熱交換器によって水を加熱する運転（第１運転）中には、熱源装置によって熱交換器が加熱される。このため、熱交換器の温度は比較的高くなる。この状態から、特許文献１のように熱交換器に低温水を送ったとしても、熱交換器の温度を低下させるのに時間がかかる。この結果、熱交換器の内部の水の温度が、スケールの析出する温度以下までなかなか低下せず、スケールを十分に除去できないという問題があった。
【０００５】
本開示の目的は、熱交換器の内部のスケールの速やかに除去できる給湯装置を提供することである。
【課題を解決するための手段】
【０００６】
第１の態様は、熱源装置（20）と、水を貯留するタンク（40）と、前記タンク（40）の水が循環する水回路（50）と、前記水回路（50）に接続する第１流路（25a）を有する熱交換器（25）と、前記熱源装置（20）及び前記水回路（50）を制御する制御器（80）とを備え、前記制御器（80）は、前記熱源装置（20）によって前記熱交換器（25）の第１流路（25a）の水を直接又は間接的に加熱する第１運転と、前記第１運転の終了後に、前記熱源装置（20）によって前記熱交換器（25）の第１流路（25a）の水を直接又は間接的に冷却する第２運転とを実行させ、前記制御器（80）は、前記第１運転中において、前記水回路（50）のスケールの量に応じて、前記第２運転を実行させるか否かを判定する第１判定動作を行う給湯装置である。
【０００７】
第１の態様では、第１運転の終了後に第２運転が実行される。第２運転では、熱源装置（20）によって熱交換器（25）の第１流路（25a）の水が冷却される。このため、第１流路（25a）の温度を速やかに低減でき、スケールを速やかに除去できる。
【０００８】
第１の態様では、温水を生成する第１運転中において、制御器（80）は、水回路（50）のスケール量に応じて第２運転を実行させるか否かの判定を行う。このため、スケールの量が増大する状況下において、第２運転によりスケールを除去できる。
【０００９】
第２の態様は、第１の態様において、前記制御器（80）は、前記第１判定動作において、前記第１運転の少なくとも運転時間の積算値に基づいて前記第２運転を実行させるか否かを判定する。
【００１０】
第２の態様の第１判定動作では、第１運転の運転時間の積算値に基づいて第２運転が実行される。
【００１１】
第３の態様は、第２の態様において、前記制御器（80）は、前記第１判定動作において、前記第１運転の前記運転時間、前記水回路（50）の水の温度、及び前記水回路（50）の圧力に基づく積算値が所定値を越えると、前記第２運転を実行させる。ここでいう水回路（50）の水の温度は、水回路（50）を構成する配管を介して間接的に計測される温度を含む。
【００１２】
第３の態様の第１判定動作では、第１運転の運転時間、水回路（50）の水の温度、水回路（50）の水の圧力に基づく積算値が所定値を越えると、第２運転が実行される。
【００１３】
第４の態様は、第１〜第３のいずれか１つの態様において、前記水回路（50）のスケールの量に対応する指標を検出する検出部（62）を備え、前記制御器（80）は、前記第１判定動作において、前記検出部（62）の検出値に基づいて前記第２運転を実行させるか否かを判定する。
【００１４】
第４の態様の第１判定動作では、検出部（62）により検出されたスケールの量に対応する検出値に基づいて、第２運転を実行させるか否かの判定が行われる。
【００１５】
第５の態様は、熱源装置（20）と、水を貯留するタンク（40）と、前記タンク（40）の水が循環する水回路（50）と、前記水回路（50）に接続する第１流路（25a）を有する熱交換器（25）と、前記熱源装置（20）及び前記水回路（50）を制御する制御器（80）とを備え、前記制御器（80）は、前記熱源装置（20）によって前記熱交換器（25）の第１流路（25a）の水を直接又は間接的に加熱する第１運転と、前記第１運転の終了後に、前記熱源装置（20）によって前記熱交換器（25）の第１流路（25a）の水を直接又は間接的に冷却する第２運転とを実行させ、前記制御器（80）は、前記第２運転中において、前記水回路（50）のスケールの量に応じて、前記第２運転を終了させるか否かを判定する第２判定動作を行う。
【００１６】
第５の態様では、第２運転中において、制御器（80）は、水回路（50）のスケール量に応じて第２運転を終了させるか否かの判定を行う。このため、スケールの量が少ない、あるいはスケールがなくなった状況下において、第２運転を速やかに終了できる。
【００１７】
第６の態様は、第５の態様において、前記制御器（80）は、前記第２判定動作において、前記第２運転中の前記水回路（50）の水の温度が所定値を下回ると、前記第２運転を終了させる。ここでいう水回路（50）の水の温度は、水回路（50）を構成する配管を介して間接的に計測される温度を含む。
【００１８】
第６の態様の第２判定動作では、水回路（50）の水の温度が所定値を下回ると、第２運転が終了する。これにより、スケールの量が少ない状況下で第２運転を終了できる。水回路（50）の水の温度が低いことから、スケールが除去されたと推定できるからである。
【００１９】
第７の態様は、第５又は第６の態様において、前記制御器（80）は、前記第２判定動作において、前記第２運転の少なくとも運転時間に基づいて前記第２運転を終了させるか否かを判定する。
【００２０】
第７の態様の第２判定動作では、第２運転の運転時間に基づいて第２運転が終了する。
【００２１】
第８の態様は、第７の態様において、前記制御器（80）は、前記第２判定動作において、前記第２運転の前記運転時間、前記水回路（50）の水の温度、及び前記水回路（50）の圧力に基づく値が所定値を下回ると、前記第２運転を終了させる。
【００２２】
第８の態様の第２判定動作では、第２運転の運転時間、水回路（50）の水の温度、水回路（50）の水の圧力に基づく値が所定値を下回ると、第２運転が終了する。
【００２３】
第９の態様は、第５〜第８のいずれか１つの態様において、前記水回路（50）のスケールの量に関する指標を検出する検出部（62）を備え、前記制御器（80）は、前記第２判定動作において、前記検出部（62）の検出値に基づいて前記第２運転を終了させるか否かを判定する。
【００２４】
第９の態様の第２判定動作では、検出部（62）により検出されたスケールの量に対応する検出値に基づいて、第２運転を終了させるか否かの判定が行われる。
【００２５】
第１０の態様は、熱源装置（20）と、水を貯留するタンク（40）と、前記タンク（40）の水が循環する水回路（50）と、前記水回路（50）に接続する第１流路（25a）を有する熱交換器（25）と、前記熱源装置（20）及び前記水回路（50）を制御する制御器（80）とを備え、前記制御器（80）は、前記熱源装置（20）によって前記熱交換器（25）の第１流路（25a）の水を直接又は間接的に加熱する第１運転と、前記第１運転の終了後に、前記熱源装置（20）によって前記熱交換器（25）の第１流路（25a）の水を直接又は間接的に冷却する第２運転とを実行させ、前記制御器（80）は、前記第１運転中において、前記水回路（50）のスケールの量に応じて、前記第２運転を実行させるか否かを判定する第１判定動作を行い、前記第２運転において低温水を前記熱交換器（25）の第１流路（25a）に供給する供給部（51,63）を備えている。
【００２６】
第１０の態様では、第２運転において、供給部（51,63）が低温水を第１流路（25a）に供給する。これにより、第１流路（25a）の水の温度を速やかに低減できる。
【００２７】
第１１の態様は、第１〜１０のいずれか１つの態様において、前記制御器（80）は、前記第１運転が終了する毎に、前記第２運転を実行させる。
【００２８】
第１１の態様では、第１運転が終了する毎に第２運転が実行される。
【００２９】
第１２の態様は、第１〜第１１のいずれか１つの態様において、前記水回路（50）は、該水回路（50）の水を循環させる第１ポンプ（53）を有し、前記制御器（80）は、前記第２運転において、前記第１ポンプ（53）を運転させる。
【００３０】
第１２の態様では、第２運転において、第１ポンプ（53）が運転される。これにより、タンク（40）内の水が熱交換器（25）の第１流路（25a）を流れる。これにより、熱交換器（25）の第１流路（25a）の水温を低下できると同時に、水回路（50）における第１流路（25a）の下流側部分の水温を低下できる。
【００３１】
第１３の態様は、第１２の態様において、前記水回路（50）は、前記第２運転において、前記熱交換器（25）の第１流路（25a）で冷却された水を、前記タンク（40）をバイパスさせて前記第１流路（25a）に戻す流路を形成するバイパス形成部（B）を含む。
【００３２】
第１３の態様では、第２運転において、熱交換器（25）の第１流路（25a）で冷却された水が、タンク（40）をバイパスし、再び第１流路（25a）に戻る。このため、水回路（50）の水をタンク（40）に送ることなく、この水を熱交換器（25）により冷却できる。
【００３３】
第１４の態様は、第１２又は第１３の態様において、前記水回路（50）は、前記第２運転において、前記熱交換器（25）の第１流路（25a）で冷却された水を前記タンク（40）の低温部に戻す低温戻し流路（58）を含む。
【００３４】
第１４の態様では、第２運転において、熱交換器（25）の第１流路（25a）で冷却された水が、低温戻し流路（58）を流れ、タンク（40）の低温部（L）に戻る。このため、タンク（40）の高温部（H）の水温が低下することを抑制できる。
【００３５】
第１５の態様は、第１２〜第１４の態様のいずれか１つにおいて、前記水回路（50）は、前記第２運転において、前記水回路（50）の水の温度に応じて、前記熱交換器（25）の第１流路（25a）で冷却された水を、前記タンク（40）における水温の異なる部分に戻す流路変更部（C）を含む。ここでいう水回路（50）の水の温度は、水回路（50）を構成する配管を介して間接的に計測される温度を含む。
【００３６】
第１５の態様は、流路変更部（C）により、水回路（50）に水の温度に応じて、タンク（40）の異なる部分に水を戻すことができる。
【００３７】
第１６の態様は、第１５の態様において、前記流路変更部（C）は、前記第２運転において、前記水回路（50）の水の温度が第１値より高い場合、前記熱交換器（25）の第１流路（25a）で冷却された水を前記タンク（40）の第１部（H）に戻し、前記第２運転において、前記水回路（50）の水の温度が前記第１値以下の第２値より低い場合、前記熱交換器（25）の第１流路（25a）で冷却された水を前記タンク（40）の第２部（M,L）に戻す。
【００３８】
第１６の態様では、第２運転において、水回路（50）の水が比較的高い場合に、この水をタンク（40）の高温側の第１部（H）に戻すことができる。水回路（50）の水が比較的低い場合に、この水をタンク（40）の低温側の第２部（M,L）に戻すことができる。このため、タンク（40）の水温が戻り水の影響により変化するのを抑制できる。
【００３９】
第１７の態様は、第１〜第１１のいずれか１つの態様において、前記水回路（50）は、水を循環させる第１ポンプ（53）を有し、前記制御器（80）は、前記第２運転において、前記第１ポンプ（53）を停止させる。
【００４０】
第１７の態様では、第２運転において、第１ポンプ（53）が停止する。このため、第１ポンプ（53）を運転する場合と比較して、熱交換器（25）の第１流路（25a）の水温をより速やかに低下できる。
【００４１】
第１８の態様は、第１〜第１７のいずれか１つの態様において、前記熱交換器（25）は、前記第１流路（25a）を流れる水と熱交換する熱媒体が流れる第２流路（25b）を有し、前記第２流路（25b）及び第２ポンプ（71）を有するとともに、前記熱媒体が循環する熱媒体回路（70）をさらに備え、前記第１運転は、前記熱源装置（20）によって前記熱媒体回路（70）の熱媒体を加熱するとともに、加熱された該熱媒体によって前記第１流路（25a）の水を加熱する運転であり、前記第２運転は、前記熱源装置（20）によって前記熱媒体回路（70）の熱媒体を冷却するとともに、冷却された熱媒体によって前記第１流路（25a）の水を冷却する運転である。
【００４２】
第１８の態様では、第１運転において、熱源装置（20）によって加熱された熱媒体が熱媒体回路（70）を循環する。熱交換器（25）では、熱媒体回路（70）の第２流路（25b）を流れる熱媒体と、水回路（50）の第１流路（25a）を流れる水とが熱交換する。これにより、第１流路（25a）の水が加熱される。第２運転において、熱源装置（20）によって冷却された熱媒体が熱媒体回路（70）を循環する。熱交換器（25）では、熱媒体回路（70）の第２流路（25b）を流れる熱媒体と、水回路（50）の第１流路（25a）を流れる水とが熱交換する。これにより、第１流路（25a）の水が冷却される。
【００４３】
第１９の態様は、第１〜第１８のいずれか１つの態様において、前記熱源装置（20）は、冷媒が循環して冷凍サイクルを行う冷媒回路（21）を有し、前記熱交換器（25）は、前記冷媒回路（21）の冷媒が流れる第２流路（25b）を有し、前記冷媒回路（21）は、前記第１運転において前記第２流路（25b）で冷媒が放熱する第１冷凍サイクルと、前記第２運転において前記第２流路（25b）で冷媒が蒸発する第２冷凍サイクルとを切り換える切換機構（26）と、前記第１運転において前記冷媒が前記第２流路（25b）を流れる方向と、前記第２運転において前記冷媒が前記第２流路（25b）を流れる方向とを同じとする流路規制機構（30）とを有する。
【００４４】
第１９の態様では、第１運転において熱源装置（20）が第１冷凍サイクルを行うと、冷媒が熱交換器（25）の第２流路（25b）で放熱する。第２運転において熱源装置（20）が第２冷凍サイクルを行うと、冷媒が熱交換器（25）の第２流路（25b）で蒸発する。流路規制機構（30）は、第１運転における第２流路（25b）の冷媒の流れる方向と、第２運転における冷媒の流れる方向とを同じとする。加熱運転中の利用熱交換器（25）では、第２流路（25b）の流入部分の温度が高くなり易い。過熱状態の冷媒が第２流路（25b）の流入部分を流れるからである。このため、第１流路（25a）では、この流入部分に対応する箇所でスケールが生成し易い。第２運転中には、熱交換器（25）においてこのように温度が比較的高い部分に、低温低圧の冷媒が流入する。このため、第１流路（25a）では、特にスケールが生成し易い部分での水の温度を速やかに低下できる。
【００４５】
第２０の態様は、第１〜第１９のいずれか１つの態様において、前記水回路（50）は、前記第２運転において前記水回路（50）に水を供給する給水部（63）と、前記第２運転において前記水回路（50）の水を排出する排水部（64）とを有する。
【００４６】
第２０の態様では、第２運転において、水回路（50）の給水と排水とが行われる。このため、水回路（50）に存在するスケールを水回路（50）の外部へ排出できる。
【図面の簡単な説明】
【００４７】
【図１】図１は、実施形態１に係る給湯装置の概略の配管系統図である。
【図２】図２は、実施形態１に係る制御部と、その周辺機器の関係を示すブロック図である。
【図３】図３は、実施形態１に係る給湯装置の概略の配管系統図であり、加熱運転を示す。
【図４】図４は、実施形態１に係る給湯装置の概略の配管系統図であり、冷却運転を示す。
【図５】図５は、実施形態１に係る給湯装置の第１判定動作のフローチャートである。
【図６】図６は、実施形態１に係る給湯装置の第２判定動作のフローチャートである。
【図７】図７は、実施形態２に係る給湯装置の概略の配管系統図であり、冷却運転の通常動作を示す。
【図８】図８は、実施形態２に係る給湯装置の概略の配管系統図であり、冷却運転のバイパス動作を示す。
【図９】図９は、実施形態３に係る給湯装置の概略の配管系統図であり、冷却運転の通常動作を示す。
【図１０】図１０は、実施形態３に係る給湯装置の概略の配管系統図であり、冷却運転のバイパス動作を示す。
【図１１】図１１は、実施形態４に係る給湯装置の概略の配管系統図であり、冷却運転の通常動作を示す。
【図１２】図１２は、実施形態４に係る給湯装置の概略の配管系統図であり、冷却運転の中温戻し動作を示す。
【図１３】図１３は、実施形態４に係る給湯装置の概略の配管系統図であり、冷却運転のバイパス動作を示す。
【図１４】図１４は、実施形態５に係る給湯装置の概略の配管系統図であり、冷却運転の通常動作を示す。
【図１５】図１５は、実施形態５に係る給湯装置の概略の配管系統図であり、冷却運転の低温戻し動作を示す。
【図１６】図１６は、変形例Ａ−４に係る制御部と、その周辺機器の関係を示すブロック図である。
【図１７】図１７は、変形例Ｃに係る給湯装置の概略の配管系統図であり、冷却運転のポンプ停止動作を示す。
【図１８】図１８は、変形例Ｄに係る給湯装置の概略の配管系統図であり、加熱運転を示す。
【図１９】図１９は、変形例Ｄに係る給湯装置の概略の配管系統図であり、冷却運転を示す。
【図２０】図２０は、変形例Ｅに係る給湯装置の概略の配管系統図であり、加熱運転を示す。
【図２１】図２１は、変形例Ｅに係る給湯装置の概略の配管系統図であり、冷却運転を示す。
【図２２】図２２は、変形例Ｆに係る給湯装置の概略の配管系統図である。
【図２３】図２３は、変形例Ｇに係る給湯装置の概略の配管系統図である。
【発明を実施するための形態】
【００４８】
以下、本開示の実施形態について図面を参照しながら説明する。なお、以下の実施形態は、本質的に好ましい例示であって、本発明、その適用物、あるいはその用途の範囲を制限することを意図するものではない。
【００４９】
《実施形態１》
本開示は、給湯装置（10）である。給湯装置（10）は、水源（1）から供給された水を加熱し、加熱された水をタンク（40）に貯留する。タンク（40）内に貯留された温水は所定の給湯対象へ供給される。水源は、上水道を含む。給湯対象は、シャワー、蛇口、浴槽などを含む。図１及び図２に示すように、給湯装置（10）は、熱源装置（20）と、タンク（40）と、水回路（50）と、圧力センサ（60）と、温度センサ（61）と、制御器（80）とを有する。
【００５０】
〈熱源装置〉
本実施形態の熱源装置（20）は、ヒートポンプ式の熱源装置である。熱源装置（20）は、水を加熱するための温熱と、水を冷却するためのいわゆる冷熱とを生成する。熱源装置（20）は、蒸気圧縮式の熱源装置である。熱源装置（20）は、冷媒回路（21）を有している。冷媒回路（21）には、冷媒が充填される。冷媒回路（21）は、圧縮機（22）、熱源熱交換器（23）、膨張弁（24）、利用熱交換器（25）、及び四方切換弁（26）を含む。
【００５１】
圧縮機（22）は、吸入した冷媒を圧縮し、圧縮した冷媒を吐出する。
【００５２】
熱源熱交換器（23）は、空冷式の熱交換器である。熱源熱交換器（23）は室外に配置される。熱源装置（20）は、室外ファン（27）を有する。室外ファン（27）は、熱源熱交換器（23）の近くに配置される。熱源熱交換器（23）は、室外ファン（27）によって搬送された空気と、冷媒とを熱交換させる。
【００５３】
膨張弁（24）は冷媒を減圧する減圧機構である。膨張弁（24）は、利用熱交換器（25）の液端部と熱源熱交換器（23）の液端部との間に設けられる。減圧機構は、膨張弁に限らず、キャピラリーチューブ、膨張機などであってもよい。膨張機は、冷媒のエネルギーを動力として回収する。
【００５４】
利用熱交換器（25）は、熱交換器に対応する。利用熱交換器（25）は、液冷式の熱交換器である。利用熱交換器（25）は、第１流路（25a）と第２流路（25b）とを有する。第２流路（25b）は、冷媒回路（21）に接続する。第１流路（25a）は、水回路（50）に接続する。利用熱交換器（25）は、第１流路（25a）を流れる水と、第２流路（25b）を流れる冷媒とを熱交換させる。
【００５５】
利用熱交換器（25）では、第２流路（25b）に沿うように第１流路（25a）が形成される。本実施形態では、詳細は後述する加熱運転において、第２流路（25b）を流れる冷媒の向きと、第１流路（25a）を流れる水の向きとは、実質的に反対になる。言い換えると、加熱運転中の利用熱交換器（25）は、対向流式の熱交換器として機能する。
【００５６】
四方切換弁（26）は、第１冷凍サイクルと第２冷凍サイクルとを切り換える切換機構に対応する。四方切換弁（26）は、第１ポート、第２ポート、第３ポート、及び第４ポートを有する。四方切換弁（26）の第１ポートは、圧縮機（22）の吐出側と繋がる。四方切換弁（26）の第２ポートは、圧縮機（22）の吸入側と繋がる。四方切換弁（26）の第３ポートは、利用熱交換器（25）の第２流路（25b）のガス端部と繋がる。四方切換弁（26）の第４ポートは、熱源熱交換器（23）のガス端部と繋がる。四方切換弁（26）は、図１の実線で示す第１状態と、図１の破線で示す第２状態とに切り換わる。第１状態の四方切換弁（26）は、第１ポートと第３ポートとを連通させ、且つ第２ポートと第４ポートとを連通させる。第２状態の四方切換弁（26）は、第１ポートと第４ポートとを連通させ、且つ第２ポートと第３ポートとを連通させる。
【００５７】
〈タンク及び水回路〉
タンク（40）は、水を貯留する容器である。タンク（40）は、縦長の円筒状に形成される。タンク（40）は、円筒状の胴部（41）と、該胴部（41）の下端を閉塞する底部（42）と、該胴部（41）の上端を閉塞する頂部（43）とを有する。タンク（40）の内部には、下から上に向かって順に、低温部（L）、中温部（M）、高温部（H）が形成される。低温部（L）には、低温水が貯留される。高温部（H）には、高温水が貯留される。中温部（M）には、中温水が貯留される。中温水の温度は、高温水の温度より低く、低温水の温度より高い。
【００５８】
水回路（50）では、タンク（40）の水が循環する。水回路（50）には、利用熱交換器（25）の第１流路（25a）が接続する。水回路（50）は、上流流路（51）と、下流流路（52）とを含む。上流流路（51）の流入端は、タンク（40）の底部（42）に接続する。上流流路（51）の流入端は、タンク（40）の低温部（L）に接続する。上流流路（51）の流出端は、第１流路（25a）の流入端に接続する。下流流路（52）の流入端は、第１流路（25a）の流出端に接続する。下流流路（52）の流出端は、タンク（40）の頂部に接続する。
【００５９】
上流流路（51）は、冷却運転において、低温水を利用熱交換器（25）の第１流路（25a）に供給する供給部に対応する。
【００６０】
水回路（50）は、水ポンプ（53）を有する。水ポンプ（53）は、水回路（50）の水を循環させる。水ポンプ（53）は、第１ポンプに対応する。水ポンプ（53）は、タンク（40）の水を搬送し、利用熱交換器（25）の第１流路（25a）に送る。さらに水ポンプ（53）は、第１流路（25a）に水を搬送し、タンク（40）に送る。
【００６１】
〈圧力センサ〉
水回路（50）には、圧力センサ（60）が設けられる。圧力センサ（60）は、水回路（50）の水の圧力を検出する圧力検出部である。圧力センサ（60）は、第１流路（25a）の水の圧力、あるいは下流流路（52）の水の圧力を検出する。
【００６２】
〈温度センサ〉
水回路（50）には、温度センサ（61）が設けられる。温度センサ（61）は、水回路（50）の水の温度を検出する温度検出部である。温度センサ（61）は、第１流路（25a）の水の温度、あるいは下流流路（52）の水の温度を検出する。温度センサ（61）は、水回路（50）の水の温度を直接的に検出してもよい。温度センサ（61）は、水回路（50）を構成する配管の表面に取り付けられ、水回路（50）の水の温度を、配管を介して間接的に検出してもよい。
【００６３】
〈制御器〉
図２に示す制御器（80）は、マイクロコンピュータと、該マイクロコンピュータを動作させるためのソフトウエアを格納するメモリディバイス（具体的には半導体メモリ）とを有する。制御器（80）は、熱源装置（20）及び水回路（50）の機器を制御する。水回路（50）の機器は、水ポンプ（53）を含む。
【００６４】
制御器（80）は、熱源装置（20）、温度センサ（61）、及び圧力センサ（60）と配線を介して接続されている。これらの機器と、制御器（80）との間で信号の授受が行われる。
【００６５】
制御器（80）は、第１運転に対応する加熱運転と、第２運転に対応する冷却運転とを実行させる。加熱運転は、温水を生成し、生成した温水をタンク（40）に溜めるための運転である。本実施形態の加熱運転は、熱源装置（20）によって直接的に水を加熱する運転である。冷却運転は、水回路（50）のスケールを除去するための運転である。冷却運転は、熱源装置（20）によって利用熱交換器（25）の第１流路（25a）の水を直接的に冷却する運転である。
【００６６】
制御器（80）は、第１判定動作と、第２判定動作とを行う。第１判定動作は、加熱運転中において、水回路（50）のスケールの量に応じて、冷却運転を実行させるか否かを判定する動作である。第２判定動作は、冷却運転中において、水回路（50）のスケールの量に応じて、冷却運転を終了させるか否かを判定する動作である。これらの判定動作の詳細は後述する。
【００６７】
−運転動作−
給湯装置（10）は、加熱運転と冷却運転とを行う。
【００６８】
〈加熱運転〉
図３に示す加熱運転では、制御器（80）は、圧縮機（22）及び室外ファン（27）を運転させる。制御器（80）は、四方切換弁（26）を第１状態に設定する。制御器（80）は、膨張弁（24）の開度を適宜調節する。制御器（80）は、水ポンプ（53）を運転させる。
【００６９】
熱源装置（20）は、第１冷凍サイクルを行う。第１冷凍サイクルでは、冷媒が利用熱交換器（25）で放熱する。より詳細には、第１冷凍サイクルでは、圧縮機（22）で圧縮された冷媒が、利用熱交換器（25）の第２流路（25b）を流れる。利用熱交換器（25）では、第２流路（25b）の冷媒が第１流路（25a）の水へ放熱する。第２流路（25b）で放熱した、あるいは凝縮した冷媒は、膨張弁（24）で減圧された後、熱源熱交換器（23）を流れる。熱源熱交換器（23）では、冷媒が室外空気から吸熱して蒸発する。熱源熱交換器（23）で蒸発した冷媒は圧縮機（22）に吸入される。
【００７０】
水回路（50）では、タンク（40）の低温部（L）の水が上流流路（51）へ流出する。上流流路（51）の水は、利用熱交換器（25）の第１流路（25a）を流れる。第１流路（25a）の水は、熱源装置（20）の冷媒によって加熱される。第１流路（25a）で加熱された水は、下流流路（52）を流れ、タンク（40）の高温部（H）に流入する。
【００７１】
〈冷却運転〉
図４に示す冷却運転は、加熱運転の終了後に実行される。冷却運転では、制御器（80）は、圧縮機（22）及び室外ファン（27）を運転させる。制御器（80）は、四方切換弁（26）を第２状態に設定する。制御器（80）は、膨張弁（24）の開度を適宜調節する。制御器（80）は、水ポンプ（53）を運転させる。
【００７２】
熱源装置（20）は、第２冷凍サイクルを行う。第２冷凍サイクルでは、冷媒が利用熱交換器（25）で蒸発する。より詳細には、第２冷凍サイクルでは、圧縮機（22）で圧縮された冷媒が、熱源熱交換器（23）を流れる。利用熱交換器（25）では、冷媒が室外空気へ放熱する。熱源熱交換器（23）で放熱した、あるいは凝縮した冷媒は、膨張弁（24）で減圧された後、利用熱交換器（25）の第２流路（25b）を流れる。利用熱交換器（25）では、第２流路（25b）の冷媒が第１流路（25a）の水から吸熱して蒸発する。利用熱交換器（25）で蒸発した冷媒は圧縮機（22）に吸入される。
【００７３】
水回路（50）では、タンク（40）の低温部（L）の水が上流流路（51）へ流出する。上流流路（51）の水は、利用熱交換器（25）の第１流路（25a）を流れる。第１流路（25a）の水は、熱源装置（20）の冷媒によって冷却される。第１流路（25a）で加熱された水は、下流流路（52）を流れ、タンク（40）の高温部（H）に流入する。
【００７４】
冷却運転では、熱源装置（20）の冷媒によって利用熱交換器（25）の第１流路（25a）の水が冷却される。このため、第１流路（25a）の水温を速やかに析出温度以下まで低下できる。ここでいう析出温度は、炭酸カルシムなどのスケールが水中から析出する温度である。これにより、利用熱交換器（25）の第１流路（25a）においてスケールが析出することを抑制できる。加えて、析出したスケールを速やかに水中に溶解させることができる。
【００７５】
加えて、加熱運転から冷却運転へ切り換わると、利用熱交換器（25）の温度が大きく低下する。この温度低下により利用熱交換器（25）を熱収縮させることができる。この熱収縮を利用して、利用熱交換器（25）の第１流路（25a）の内壁に貼りついたスケールを剥がすことができる。
【００７６】
冷却運転では、水ポンプ（53）が運転する。このため、第１流路（25a）で冷却された水は下流流路（52）を流れる。これにより、下流流路（52）の水の温度を低下させることができ、下流流路（52）でのスケールの析出を抑制できる。水ポンプ（53）を運転すると、低温部（L）の低温水が第１流路（25a）へ送られる。このため、この低温水を利用して第１流路（25a）の水温を低下できる。
【００７７】
−判定動作−
制御器（80）は、第１判定動作と、第２判定動作とを行う。
【００７８】
〈第１判定動作〉
図５に示す第１判定動作は、加熱運転において、冷却運転を実行させるか否かの判定を行う動作である。ステップSt1において加熱運転が開始する。ステップSt2において、温度センサ（61）は、水回路（50）の水の温度Twを検出する。ステップSt3において、圧力センサ（60）は、水回路（50）の水の圧力Pwを検出する。ステップt4において、制御器（80）の時間計測部は、加熱運転の運転時間ΔＴ１を計測する。ステップSt5において、制御器（80）の演算部は、温度Tw、圧力Pw、運転時間ΔＴ１に基づく積算値Ｉを算出する。この積算値Iは、水のスケール量を推定する指標となる。水のスケール量は、水の温度、圧力、及び第１運転の運転時間に応じて変化するからである。積算値Ｉが高いほど水回路（50）のスケールの量が多いと推定できる。
【００７９】
ステップSt6において、制御器（80）は、積算値Iが所定値を越えているか否かを判定する。積算値Ｉが所定値を越えている場合、ステップSt7において、制御器（80）が加熱運転を終了させる。積算値Iが所定値を越えていない場合、ステップSt2〜St5の処理が行われる。ステップSt7において加熱運転が終了すると、ステップS8において、制御器（80）が冷却運転を開始させる。
【００８０】
〈第２判定動作〉
図６に示す第２判定動作は、冷却運転において、冷却運転を終了させるか否かの判定を行う動作である。冷却運転が開始された後、ステップSt9において、温度センサ（61）は、水回路（50）の水の温度Twを検出する。ステップSt10において、圧力センサ（60）は、水回路（50）の水の圧力Pwを検出する。ステップt11において、制御器（80）の時間計測部は、冷却運転の運転時間ΔＴ２を計測する。ステップSt12において、制御器（80）の演算部は、温度Tw、圧力Pw、運転時間ΔＴに基づく値（推定値Ａ）を算出する。この推定値Ａは、水のスケール量を推定する指標となる。水のスケール量は、水の温度、圧力、及び第２運転の運転時間に応じて変化するからである。推定値Ａが高いほど水回路（50）のスケールの量が多いと推定できる。
【００８１】
ステップSt13において、制御器（80）は、推定値Ａが所定値を下回るか否かを判定する。推定値が所定値を下回る場合、ステップSt14において、制御器（80）が冷却運転を終了させる。推定値Ａが所定値を下回らない場合、ステップSt9〜St12の処理が行われる。
【００８２】
−実施形態１の効果−
実施形態１の特徴（１）は、熱源装置（20）と、水を貯留するタンク（40）と、前記タンク（40）の水が循環する水回路（50）と、前記水回路（50）に接続する第１流路（25a）を有する熱交換器（25）と、前記熱源装置（20）及び前記水回路（50）を制御する制御器（80）とを備え、前記制御器（80）は、前記熱源装置（20）によって前記熱交換器（25）の第１流路（25a）の水を直接又は間接的に加熱する第１運転と、前記第１運転の終了後に、前記熱源装置（20）によって前記熱交換器（25）の第１流路（25a）の水を直接又は間接的に冷却する第２運転とを実行させることである。
【００８３】
実施形態１の特徴（１）によれば、第２運転である冷却運転において、熱源装置（20）が第１流路（25a）の水を冷却する。このため、従来例にように、低温水を第１流路（25a）に供給する運転と比較して、第１流路（25a）の水の温度をより速やかに下げることができる。このため、第１流路（25a）の水からスケールが析出することを抑制できる。加えて、第１流路（25a）のスケールを水に溶解させることができる。
【００８４】
実施形態１の特徴（１）によれば、加熱運転から冷却運転の切換に伴い、利用熱交換器（25）を熱収縮させることができる。この熱収縮を利用して、第１流路（25a）の内壁に付着したスケールを剥がすことができる。これにより、スケールの付着に起因する熱交換器（25）の伝熱性能の低下を抑制できる。
【００８５】
実施形態１では、熱源装置（20）によって第１流路（25a）の水を直接冷却している。このため、第１流路（25a）の水を速やかに冷却できる。
【００８６】
実施形態１では、蒸気圧縮式の冷凍サイクルを行う冷媒によって第１流路（25a）の水を冷却している。このため、第１流路（25a）の水を速やかに冷却できる。
【００８７】
実施形態１の特徴（２）は、制御器（80）は、前記第１運転中において、前記水回路（50）のスケールの量に応じて、前記第２運転を実行させるか否かを判定する第１判定動作を行うことである。
【００８８】
実施形態１の特徴（２）によれば、スケールの量が増大した状況下だけ、制御器（80）が冷却運転を実行できる。このため、冷却運転が過剰に実行されることに起因して、タンク（40）の温水の熱量が不足することを抑制できる。スケールの量が増大した場合には、冷却運転を実行することでスケールを速やかに除去できる。
【００８９】
実施形態１の特徴（３）は、前記第１判定動作において、前記第１運転の少なくとも運転時間の積算値に基づいて前記第２運転を実行させるか否かを判定することである。
【００９０】
実施形態１の特徴（３）によれば、制御器（80）は、水回路（50）のスケールの量を容易に推定でき、冷却運転を実行させるか否かを容易に判定できる。
【００９１】
実施形態１の特徴（４）は、制御器（80）は、前記第１判定動作において、前記第１運転の前記運転時間、前記水回路（50）の水の温度、及び前記水回路（50）の圧力に基づく積算値が所定値を越えると、前記第２運転を実行させる。
【００９２】
実施形態１の特徴（４）によれば、制御器（80）は、水回路（50）のスケールの量を正確に推定できる。このため、実際のスケールの量が多い状況下において、制御器（80）が冷却運転を実行させることができる。
【００９３】
実施形態１の特徴（５）は、前記制御器（80）は、前記第２運転中において、前記水回路（50）のスケールの量に応じて、前記第２運転を終了させるか否かを判定する第２判定動作を行うことである。
【００９４】
実施形態１の特徴（５）によれば、スケールの量が減少した状況下に、制御器（80）が冷却運転を終了できる。このため、冷却運転が過剰に実行されることに起因して、タンク（40）の温水の熱量が不足することを抑制できる。
【００９５】
実施形態１の特徴（６）は、前記制御器（80）は、前記第２判定動作において、前記第２運転の少なくとも運転時間に基づいて前記第２運転を終了させるか否かを判定することである。
【００９６】
実施形態１の特徴（６）によれば、制御器（80）は、水回路（50）のスケールの量を容易に推定でき、冷却運転を終了させるか否かを容易に判定できる。
【００９７】
実施形態１の特徴（７）は、前記制御器（80）は、前記第２判定動作において、前記第２運転の前記運転時間、前記水回路（50）の水の温度、及び前記水回路（50）の圧力に基づく値が所定値を下回ると、前記第２運転を終了させることである。
【００９８】
実施形態１の特徴（７）によれば、制御器（80）は、水回路（50）のスケールの量を正確に推定できる。このため、実際のスケールが確実に除去された後、制御器（80）が冷却運転を終了させることができる。
【００９９】
実施形態１の特徴（８）は、前記第２運転において低温水を前記熱交換器（25）の第１流路（25a）に供給する供給部（51,63）を備えていることである。
【０１００】
実施形態１の特徴（８）によれば、第２運転において、供給部である上流流路（51）が、タンク（40）の低温水を利用熱交換器（25）の第１流路（25a）に供給するため、第１流路（25a）の水の温度を速やかに低減できる。加えて、下流流路（52）の水の温度を速やかに低減できる。
【０１０１】
《実施形態２》
実施形態２の給湯装置（10）の水回路（50）は、実施形態１の水回路（50）と異なる。以下では、主として実施形態１と異なる点について説明する。
【０１０２】
図７及び図８に示すように、水回路（50）は、第１三方弁（54）、第２三方弁（55）、及びバイパス流路（56）を有する。第１三方弁（54）、第２三方弁（55）、及びバイパス流路（56）は、バイパス形成部（B）を構成する。バイパス形成部（B）は、冷却運転において、利用熱交換器（25）の第１流路（25a）で冷却された水を、タンク（40）をバイパスさせて第１流路（25a）に戻す流路を形成する。
【０１０３】
上流流路（51）は、第１上流流路（51a）と第２上流流路（51b）とによって構成される。下流流路（52）は、第１下流流路（52a）と第２下流流路（52b）とによって構成される。
【０１０４】
第１三方弁（54）及び第２三方弁（55）の各々は、第１ポート、第２ポート、及び第３ポートを有する。第１三方弁（54）の第１ポートは、第２上流流路（51b）を介して第１流路（25a）と繋がる。第１三方弁（54）の第２ポートは、第１上流流路（51a）を介してタンク（40）の低温部（L）と繋がる。第１三方弁（54）の第３ポートは、バイパス流路（56）の流出端と繋がる。第２三方弁（55）の第１ポートは、第１下流流路（52a）を介して第１流路（25a）と繋がる。第２三方弁（55）の第２ポートは、第２下流流路（52b）を介してタンク（40）の高温部（H）と繋がる。第２三方弁（55）の第３ポートは、バイパス流路（56）の流入端と繋がる。
【０１０５】
第１三方弁（54）及び第２三方弁（55）は、図７に示す第１状態と、図８に示す第２状態とに切り換わる。第１状態の各三方弁（54,55）は、第１ポートと第２ポートとが連通し、第３ポートが閉鎖される。第２状態の各三方弁（54,55）は、第１ポートと第３ポートとが連通し、第２ポートが閉鎖される。
【０１０６】
バイパス流路（56）は、第１三方弁（54）の第３ポートと第２三方弁（55）の第３ポートとに接続する。
【０１０７】
−運転動作−
実施形態２の給湯装置（10）は、加熱運転と、冷却運転とを行う。実施形態２の加熱運転は、実施形態１の加熱運転と同様である。実施形態２の冷却運転は、通常動作とバイパス動作とを含む。
【０１０８】
〈加熱運転〉
加熱運転では、熱源装置（20）が第１冷凍サイクルを行う。制御器（80）は、水ポンプ（53）を運転させる。制御器（80）は、第１三方弁（54）及び第２三方弁（55）を第１状態に設定する。タンク（40）の低温部（L）の水は、利用熱交換器（25）で加熱された後、タンク（40）の高温部（H）に戻る。
【０１０９】
〈冷却運転の通常動作〉
図７に示す冷却運転の通常動作では、熱源装置（20）が第２冷凍サイクルを行う。制御器（80）は、水ポンプ（53）を運転させる。制御器（80）は、第１三方弁（54）及び第２三方弁（55）を第１状態に設定する。タンク（40）の低温部（L）の水は、利用熱交換器（25）で冷却された後、タンク（40）の高温部（H）に戻る。
【０１１０】
冷却運転の通常動作では、熱源装置（20）によって第１流路（25a）の水が冷却される。加えて、タンク（40）の低温水が第１流路（25a）に供給される。これにより、第１流路（25a）の水の温度を速やかに低減でき、スケールを除去できる。
【０１１１】
〈冷却運転のバイパス動作〉
図８に示す冷却運転のバイパス動作では、熱源装置（20）が第２冷凍サイクルを行う。制御器（80）は、水ポンプ（53）を運転させる。制御器（80）は、第１三方弁（54）及び第２三方弁（55）を第２状態に設定する。バイパス動作では、利用熱交換器（25）及び水ポンプ（53）を含む循環流路が形成される。この循環流路は、タンク（40）と縁切りされた状態となる。水ポンプ（53）によって搬送された水は、利用熱交換器（25）の第１流路（25a）で冷却された後、バイパス流路（56）を流れる。バイパス流路（56）を流れた水は、再び利用熱交換器（25）の第１流路（25a）へ送られる。
【０１１２】
冷却運転のバイパス動作では、利用熱交換器（25）で冷却された水が、タンク（40）をバイパスする。具体的には、利用熱交換器（25）で冷却された水は、タンク（40）に戻されない。このため、低温の水がタンク（40）に戻ることに起因してタンク（40）の蓄熱量が減少することを抑制できる。厳密には、低温の水がタンク（40）の高温部（H）に戻ることに起因してタンク（40）の蓄熱量が大幅に減少することを抑制できる。
【０１１３】
−各動作の切り換えの例−
加熱運転において、所定の第１条件が成立すると、冷却運転が実行される。所定の第１条件は、上述した第１判定動作の成立条件である。第１条件が成立すると、制御器（80）は、冷却運転の通常動作を実行させる。
【０１１４】
加熱運転の終了直後は、水回路（50）の水の温度を速やかに低下させる必要がある。上述したように、通常動作では、第１流路（25a）の水が熱源装置（20）によって冷却されるとともに、タンク（40）の低温部（L）の低温水が水回路（50）に供給される。このため、水回路（50）の水の温度を速やかに低減でき、スケールを速やかに除去できる。通常動作では、水回路（50）の比較的高温の水がタンク（40）の高温部（H）に戻る。このため、タンク（40）内の蓄熱量が大幅に減少することはない。
【０１１５】
通常動作が開始された後、所定の第２条件が成立すると、バイパス動作が実行される。第２条件としては、条件ａ)及び条件ｂ)が挙げられる。条件ａ)は、温度センサ（61）で検出した水の温度Twが所定温度を下回ることである。条件ｂ）は、通常動作が実行されてから所定時間が経過したことである。バイパス動作の開始時には、水回路（50）の水の温度が比較的低くなっている。このため、水回路（50）の低温の水がタンク（40）の高温部（H）に戻ることを確実に抑制できる。水回路（50）の水を、タンク（40）を介さずに第１流路（25a）で冷却することで、第１流路（25a）の温度を速やかに低減できる。これにより、水回路（50）のスケールを短時間で除去できる。
【０１１６】
−実施形態２の効果−
実施形態２の特徴（１）は、水回路（50）は、前記第２運転において、前記熱交換器（25）の第１流路（25a）で冷却された水を、前記タンク（40）をバイパスさせて前記第１流路（25a）に戻す流路を形成するバイパス形成部（B）を含むことである。
【０１１７】
実施形態２の特徴（１）によれば、バイパス形成部（B）により、上述したバイパス動作を実行できる。このため、水回路（50）の高温の水がタンク（40）に戻ることを抑制しつつ、水回路（50）の水を速やかに低減できる。
【０１１８】
なお、実施形態２の冷却運転において、制御器（80）は、通常動作を実行させず、バイパス動作のみを実行させてもよい。
【０１１９】
《実施形態３》
図９及び図１０に示すように、実施形態３の給湯装置（10）では、水回路（50）において実施形態２の第１三方弁（54）が省略されている。バイパス流路（56）の流出端は、上流流路（51）に直に接続される。
【０１２０】
加熱運転では、熱源装置（20）が第１冷凍サイクルを行う。制御器（80）は、水ポンプ（53）を運転させる。制御器（80）は、第２三方弁（55）を第２状態に設定する。タンク（40）の低温部（L）の水は、利用熱交換器（25）で加熱された後、タンク（40）の高温部（H）に戻る。
【０１２１】
〈冷却運転の通常動作〉
図９に示す冷却運転の通常動作では、熱源装置（20）が第２冷凍サイクルを行う。制御器（80）は、水ポンプ（53）を運転させる。制御器（80）は、第２三方弁（55）を第１状態に設定する。タンク（40）の低温部（L）の水は、利用熱交換器（25）で冷却された後、タンク（40）の高温部（H）に戻る。
【０１２２】
〈冷却運転のバイパス動作〉
図１０に示す冷却運転のバイパス動作では、熱源装置（20）が第２冷凍サイクルを行う。制御器（80）は、水ポンプ（53）を運転させる。制御器（80）は、第２三方弁（55）を第２状態に設定する。バイパス動作では、利用熱交換器（25）及び水ポンプ（53）を含む循環流路が形成される。この循環流路は、タンク（40）と縁切りされた状態となる。水ポンプ（53）によって搬送された水は、利用熱交換器（25）の第１流路（25a）で冷却された後、バイパス流路（56）を流れる。バイパス流路（56）を流れた水は、再び利用熱交換器（25）の第１流路（25a）へ送られる。
【０１２３】
実施形態３では、実施形態２よりも三方弁の数を減らすことができる。それ以外の作用効果は、実施形態２と同様である。
【０１２４】
《実施形態４》
図１１〜図１３に示すように、実施形態４の給湯装置（10）の水回路（50）は、実施形態２の水回路（50）に中温戻し流路（57）が付加される。中温戻し流路（57）の流入端は、バイパス流路（56）に接続する。中温戻し流路（57）の流出端は、タンク（40）の低温部（L）に連通する。
【０１２５】
実施形態２と同様、第１三方弁（54）、第２三方弁（55）、及びバイパス流路（56）は、バイパス形成部（B）を構成する。
【０１２６】
実施形態４では、第１三方弁（54）、第２下流流路（52b）、及び中温戻し流路（57）が、流路変更部（C）を構成する。第２下流流路（52b）は、高温戻し流路に対応する。流路変更部（C）は、冷却運転において、水回路（50）の水の温度に応じて、利用熱交換器（25）の第１流路（25a）で冷却された水を、タンク（40）における水温の異なる部分に戻す。流路変更部（C）は、温度センサ（61）で検出した温度Twに応じて、利用熱交換器（25）の第１流路（25a）で冷却された水をタンク（40）の高温部（H）又は中温部（M）に戻す。実施形態４では、高温部（H）がタンク（40）の第１部に対応する。中温部（M）はタンク（40）において第１部より温度が低い第２部に対応する。
【０１２７】
より詳細には、制御器（80）は、水回路（50）の水の温度Twが第１値より高い場合、通常動作を実行させる。制御器（80）は、水回路（50）の水の温度Twが第２値より低い場合、中温戻し動作を実行させる。厳密には、水回路（50）の水の温度Twが第２値より低く第３値より高い場合、制御器（80）は、中温戻し動作を実行させる。水回路（50）の水の温度が第３値より低い場合、制御器（80）は、バイパス動作を実行させる。第２値は、第１値以下であればよい。本例では、第１値と第２値とが同じ値（第１判定値Ts1）として制御器（80）に設定される。第３値は、第２値より低ければよい。第３値は、第２判定値Ts2として制御器（80）に設定される。
【０１２８】
−運転動作−
実施形態４の給湯装置（10）は、加熱運転と、冷却運転とを行う。実施形態４の加熱運転は、実施形態４の加熱運転と同様であるため説明を省略する。実施形態４の冷却運転は、通常動作と、中温戻し動作と、バイパス動作とを含む。
【０１２９】
〈冷却運転の通常動作〉
図１１に示す冷却運転の通常動作では、熱源装置（20）が第２冷凍サイクルを行う。制御器（80）は、水ポンプ（53）を運転させる。制御器（80）は、第１三方弁（54）及び第２三方弁（55）を第１状態に設定する。タンク（40）の低温部（L）の水は、利用熱交換器（25）で冷却された後、タンク（40）の高温部（H）に戻る。
【０１３０】
冷却運転の通常動作では、熱源装置（20）によって第１流路（25a）の水が冷却される。加えて、タンク（40）の低温水が第１流路（25a）に供給される。これにより、第１流路（25a）の水の温度を速やかに低減でき、スケールを除去できる。
【０１３１】
〈冷却運転の中温戻し動作〉
図１２に示す冷却運転の中温戻し動作では、熱源装置（20）が第２冷凍サイクルを行う。制御器（80）は、水ポンプ（53）を運転させる。制御器（80）は、第１三方弁（54）を第１状態に設定し、第２三方弁（55）を第２状態に設定する。タンク（40）の低温部（L）の水は、利用熱交換器（25）で冷却される。利用熱交換器（25）で冷却された水は、バイパス流路（56）の上流部、及び中温戻し流路（57）を経由してタンク（40）の低温部（L）に送られる。
【０１３２】
〈冷却運転のバイパス動作〉
図１３に示す冷却運転のバイパス動作では、熱源装置（20）が第２冷凍サイクルを行う。制御器（80）は、水ポンプ（53）を運転させる。制御器（80）は、第１三方弁（54）及び第２三方弁（55）を第２状態に設定する。バイパス動作では、利用熱交換器（25）及び水ポンプ（53）を含む循環流路が形成される。この循環流路は、タンク（40）と縁切りされた状態となる。水ポンプ（53）によって搬送された水は、利用熱交換器（25）の第１流路（25a）で冷却された後、バイパス流路（56）を流れる。バイパス流路（56）を流れた水は、再び利用熱交換器（25）の第１流路（25a）へ送られる。
【０１３３】
−各動作の切り換えの例−
加熱運転において、所定の第１条件が成立すると、制御器（80）は、冷却運転を実行させる。冷却運転では、温度Twに応じて、上述した各動作が切り換えられる。
【０１３４】
水回路（50）の水の温度Twが第１閾値Ts1より高い場合、制御器（80）は、通常動作を実行させる。通常動作では、水回路（50）の高温の水がタンク（40）の高温部（H）に戻る。このため、タンク（40）の蓄熱量が大幅に減少することを抑制できる。
【０１３５】
水回路（50）の水の温度Twが第１閾値Ts1より低く、第２閾値Ts2より高い場合、制御器（80）は、中温戻し動作を実行させる。中温戻し動作では、水回路（50）の中温の水がタンク（40）の中温部（M）に戻る。このため、水回路（50）の水がタンク（40）に戻ることに起因して、タンク（40）の高温部（H）の水温が低下することを抑制できる。
【０１３６】
水回路（50）の水の温度Twが第２閾値Ts2より低い場合、制御器（80）は、バイパス動作を実行させる。バイパス動作では、水回路（50）の低温の水がタンク（40）に戻らない。このため、タンク（40）の蓄熱量が大幅に減少することを抑制できる。水回路（50）の水を、タンク（40）を介さずに第１流路（25a）で冷却することで、第１流路（25a）の温度を速やかに低減できる。これにより、水回路（50）のスケールを短時間で除去できる。
【０１３７】
なお、タンク（40）に３つ以上の戻り管を接続してもよい。この場合、流路変更部（C）は、水回路（50）の水の温度に応じて、これらの管のうち、戻り水と、戻り水が送られるタンク水との温度差が最も小さくなる管に水を送るようにすればよい。
【０１３８】
なお、制御器（80）は、冷却運転の実行の開始後、所定時間が経過すると、バイパス動作を実行させてもよい。
【０１３９】
−実施形態４の効果−
実施形態４の特徴（１）は、水回路（50）は、前記第２運転において、前記水回路（50）の水の温度に応じて、前記熱交換器（25）の第１流路（25a）で冷却された水を、前記タンク（40）における水温の異なる部分に戻す流路変更部（C）を含むことである。
【０１４０】
実施形態４の特徴（１）によれば、冷却運転において、水回路（50）の水をタンク（40）に戻すことに起因してタンク（40）内の水温が低下したり、タンク（40）の蓄熱量が減少したりすることを抑制できる。
【０１４１】
実施形態４の特徴（２）は、流路変更部（C）は、前記第２運転において、前記水回路（50）の水の温度が第１値より高い場合、前記熱交換器（25）の第１流路（25a）で冷却された水を前記タンク（40）の第１部に戻し、前記第２運転において、前記水回路（50）の水の温度が前記第１値以下の第２値より低い場合、前記熱交換器（25）の第１流路（25a）で冷却された水を前記タンク（40）の前記第１部より温度が低い第２部に戻すことである。
【０１４２】
実施形態４の特徴（２）によれば、水回路（50）の水の温度が高温である場合、この水をタンク（40）の第１部である高温部（H）へ戻すことができる。水回路（50）の水の温度が中温である場合、この水をタンク（40）の第２部である中温部（M）へ戻すことができる。これにより、タンク（40）内の水温が低下したり、タンク（40）の蓄熱量が減少したりすることを確実に抑制できる。
【０１４３】
《実施形態５》
図１４〜図１５に示すように、実施形態５の水回路（50）は、実施形態２の第１三方弁（54）が省略される。実施形態５の水回路（50）は、バイパス流路（56）に代わって低温戻し流路（58）を有する。低温戻し流路（58）の流入端は、第２三方弁（55）の第３ポートに接続する。低温戻し流路（58）の流出端は、タンク（40）の低温部（L）に接続する。
【０１４４】
実施形態５では、第１三方弁（54）、第２下流流路（52b）、及び低温戻し流路（58）が、流路変更部（C）を構成する。第２下流流路（52b）は高温戻し流路に対応する。流路変更部（C）は、冷却運転において、水回路（50）の水の温度に応じて、利用熱交換器（25）の第１流路（25a）で冷却された水を、タンク（40）における水温の異なる部分に戻す。流路変更部（C）は、温度センサ（61）で検出した温度Twに応じて、利用熱交換器（25）の第１流路（25a）で冷却された水をタンク（40）の高温部（H）又は低温部（L）に戻す。実施形態５では、高温部（H）がタンク（40）の第１部に対応する。低温部（L）はタンク（40）において第１部より温度が低い第２部に対応する。
【０１４５】
より詳細には、制御器（80）は、水回路（50）の水の温度Twが第１値より高い場合、通常動作を実行させる。制御器（80）は、水回路（50）の水の温度Twが第２値より低い場合、低温戻し動作を実行させる。ここで、第２値は、第１値以下であればよい。本例では、第１値と第２値とが同じ値（第３判定値Ts3）として制御器（80）に設定される。
【０１４６】
−運転動作−
実施形態５の給湯装置（10）は、加熱運転と、冷却運転とを行う。実施形態５の加熱運転は、実施形態２の加熱運転と同様であるため説明を省略する。実施形態５の冷却運転は、通常動作と、低温戻し動作とを含む。
【０１４７】
〈冷却運転の通常動作〉
図１４に示す冷却運転の通常動作では、熱源装置（20）が第２冷凍サイクルを行う。制御器（80）は、水ポンプ（53）を運転させる。制御器（80）は、第２三方弁（55）を第１状態に設定する。タンク（40）の低温部（L）の水は、利用熱交換器（25）で冷却された後、タンク（40）の高温部（H）に戻る。
【０１４８】
〈冷却運転の中温戻し動作〉
図１５に示す冷却運転の中温戻し動作では、熱源装置（20）が第２冷凍サイクルを行う。制御器（80）は、水ポンプ（53）を運転させる。制御器（80）は、第２三方弁（55）を第２状態に設定する。タンク（40）の低温部（L）の水は、利用熱交換器（25）で冷却される。利用熱交換器（25）で冷却された水は、低温戻し流路（58）を経由してタンク（40）の低温部（L）に送られる。
【０１４９】
−各動作の切り換えの例−
加熱運転において、所定の第１条件が成立すると、制御器（80）は、冷却運転を実行させる。
【０１５０】
冷却運転では、温度Twに応じて、上述した各動作が切り換えられる。
【０１５１】
水回路（50）の水の温度Twが第３閾値Ts3より高い場合、制御器（80）は、通常動作を実行させる。通常動作では、水回路（50）の高温の水がタンク（40）の高温部（H）に戻る。このため、タンク（40）の蓄熱量が大幅に減少することを抑制できる。
【０１５２】
水回路（50）の水の温度Twが第３閾値Ts3より低い場合、低温戻し動作を実行させる。低温戻し動作では、水回路（50）の低温の水がタンク（40）の低温部（L）に戻る。このため、水回路（50）の水がタンク（40）に戻ることに起因して、タンク（40）の水温が低下することを抑制できる。
【０１５３】
《実施形態の変形例》
上述した全ての実施形態においては、適用可能な範囲において以下に述べる変形例の構成を採用してもよい。以下に述べる各変形例は、適用可能な範囲において適宜組み合わせたり、置換したりできる。
【０１５４】
−変形例Ａ（第１判定動作）−
加熱運転において、冷却運転を実行させるか否かの判定は、次のような変形例としてもよい。
【０１５５】
〈変形例Ａ−１〉
第１判定動作において、制御器（80）は、加熱運転の運転時間ΔＴ１のみの積算値に基づいて冷却運転を実行させるか否かの判定を行ってもよい。加熱運転の運転時間ΔＴ１の積算値が長くなれば、水回路（50）にスケールの量が増大していると推定できる。加熱運転において、該加熱運転の運転時間ΔＴ１の積算値が所定値を越えると、制御器（80）は冷却運転を実行させる。これにより、給湯装置（10）は、センサなどを用いることなく、冷却運転を実行させるか否かを判定できる。
【０１５６】
〈変形例Ａ−２〉
第１判定動作において、制御器（80）は、加熱運転の運転時間ΔＴ１と、水回路（50）の水の温度Twとに基づく積算値が所定値を越えると、冷却運転を実行させてもよい。
【０１５７】
〈変形例Ａ−３〉
第１判定動作において、制御器（80）は、加熱運転の運転時間ΔＴ１と、水回路（50）の水の圧力Pwとに基づく積算値が所定値を越えると、冷却運転を実行させてもよい。
【０１５８】
−第２判定動作の変形例−
冷却運転において、該冷却運転を終了させるか否かの判定は、次のような変形例としてもよい。
【０１５９】
〈変形例Ａ−４〉
図１６に示すように、給湯装置（10）は、水回路（50）のスケールの量を示す指標を検出するスケール検出部（62）を備えてもよい。スケール検出部（62）は、例えば利用熱交換器（25）の効率α、水回路（50）を循環する水の流量Ｑ、水回路（50）の水のイオン濃度Ｃなどを検出値とする。
【０１６０】
水回路（50）のスケールの量が増え、利用熱交換器（25）の第１流路（25a）の内壁にスケールが貼りつくと、利用熱交換器（25）の効率が低下する。水回路（50）のスケールの量が増え、水回路（50）の流路が狭くなると、水回路（50）の水の流量が低下する。水回路（50）のスケールの量が増えると、水回路（50）のカルシウムなどのイオン濃度が低下する。このため、スケール検出部（62）が検出したこれらの指標に基づいて、スケールの量が増大していることを推定できる。
【０１６１】
そこで、制御器（80）は、第１判定動作において、検出部（62）で検出したこれらの検出値に基づいて、冷却運転を実行させるか否かを判定する。
【０１６２】
具体的には、制御器（80）は、スケール検出部（62）で検出した効率αの減少変化量が所定値を越えると、冷却運転を実行させる。あるいは、制御器（80）は、スケール検出部（62）で検出した流量Ｑの減少変化量が所定値を越えると、冷却運転を実行させる。あるいは、制御器（80）は、スケール検出部（62）で検出したイオン濃度の減少変化量が所定値を越えると、冷却運転を実行させる。このように、スケールの量を示す指標の変化量を用いることで、スケールの量が増大したことがより精度よく判定できる。
【０１６３】
制御器（80）は、スケール検出部（62）で検出した上記の指標の絶対値に基づいて、冷却運転を実行させるか否かを判定してもよい。
【０１６４】
−変形例Ｂ（第２判定動作）−
冷却運転において、該冷却運転を終了させるか否かの判定は、次のような変形例としてもよい。
【０１６５】
〈変形例Ｂ−１〉
第２判定動作において、制御器（80）は、冷却運転の運転時間ΔＴ２のみに基づいて冷却運転を終了させるか否かの判定を行ってもよい。冷却運転の運転時間ΔＴ２が長くなれば、水回路（50）にスケールの量が減少していると推定できる。冷却運転において、該冷却運転の運転時間ΔＴ２が所定値を越えると、制御器（80）は冷却運転を終了させる。これにより、給湯装置（10）は、センサなどを用いることなく、冷却運転を終了させるか否かを判定できる。
【０１６６】
〈変形例Ｂ−２〉
第２判定動作において、制御器（80）は、冷却運転の運転時間ΔＴ２と、水回路（50）の水の温度Twとに基づく推定値が所定値を下回ると、冷却運転を終了させてもよい。
【０１６７】
〈変形例Ｂ−３〉
第２判定動作において、制御器（80）は、冷却運転の運転時間ΔＴ２と、水回路（50）の水の圧力Pwとに基づく推定値が所定値を下回ると、冷却運転を実行させてもよい。
【０１６８】
〈変形例Ｂ−４〉
第２判定動作において、制御器（80）は、変形例Ａ−４と同様、スケール検出部（62）で検出したスケールの量を示す指標に基づいて、冷却運転を終了するか否かの判定を行ってもよい。
【０１６９】
具体的には、制御器（80）は、スケール検出部（62）で検出した効率αの増大変化量が所定値を越えると、冷却運転を終了させる。あるいは、制御器（80）は、スケール検出部（62）で検出した流量Ｑの増大変化量が所定値を越えると、冷却運転を終了させる。あるいは、制御器（80）は、スケール検出部（62）で検出したイオン濃度の増大変化量が所定値を越えると、冷却運転を終了させる。このように、スケールの量を示す指標の変化量を用いることで、スケールの量が減少したことがより精度よく判定できる。
【０１７０】
制御器（80）は、スケール検出部（62）で検出した上記の指標の絶対値に基づいて、冷却運転を終了させるか否かを判定してもよい。
【０１７１】
〈変形例Ｂ−５〉
第２判定動作において、制御器（80）は、水回路（50）の水の温度Twに基づいて、冷却運転を終了させるか否かを判定してもよい。冷却運転が実行されると、水回路（50）の水の温度が低くなり、スケールが水に溶解していく。このため、温度Twに基づき水回路（50）のスケールの量が減少したことを推定できる。制御器（80）は、冷却運転において、水回路（50）の水の温度Twが所定値を下回ると、冷却運転を終了させる。この所定値は、スケールの析出温度と同じであることが好ましい。
【０１７２】
−変形例Ｃ（ポンプ停止動作）−
上述した全ての実施形態では、冷却運転において、制御器（80）が循環ポンプ（71）を運転させる。冷却運転は、図１７に示すポンプ停止動作を含んでいてもよい。
【０１７３】
ポンプ停止動作では、熱源装置（20）が第２冷凍サイクルを行うように、制御器（80）が熱源装置（20）を制御する。制御器（80）は、循環ポンプ（71）を停止させる。
【０１７４】
利用熱交換器（25）では、第１流路（25a）の水が留まり、第２流路（25b）を低圧の冷媒が流れる。これにより、利用熱交換器（25）では、第２流路（25b）の冷媒が第１流路（25a）の冷媒から吸熱して蒸発する。第１流路（25a）の水は移動しないため、この水の温度を急激に低下する。これにより、第１流路（25a）のスケールを確実に除去できる。
【０１７５】
−変形例Ｃの効果−
変形例Ｃの特徴（１）は、前記水回路（50）は、水を循環させる第１ポンプ（53）を有し、前記制御器（80）は、前記第２運転において、前記第１ポンプ（53）を停止させることである。
【０１７６】
変形例Ｃの特徴（１）によれば、第１流路（25a）の水の温度を速やかに低減できるので、第１流路（25a）内のスケールを除去する時間を大幅に短縮できる。
【０１７７】
変形例Ｃの特徴（１）によれば、利用熱交換器（25）の温度を急激に低下させることができるため、利用熱交換器（25）の熱収縮を利用して、第１流路（25a）の内壁に貼りついたスケールを剥がすことができる。
【０１７８】
−変形例Ｄ（熱媒体回路）−
上述した全ての実施形態の給湯装置（10）は、一次側熱交換器（28）及び利用熱交換器（25）を有する熱媒体回路（70）を備えていてもよい。
【０１７９】
図１８及び図１９に示すように、熱源装置（20）の冷媒回路（21）には、上述した実施形態の利用熱交換器（25）に代えて一次側熱交換器（28）が接続される。一次側熱交換器（28）は、第３流路（28a）及び第４流路（28b）を有する。第３流路（28a）は、熱媒体回路（70）に接続する。第４流路（28b）は、冷媒回路（21）に接続する。利用熱交換器（25）の第１流路（25a）は、上述した実施形態と同様、水回路（50）に接続する。利用熱交換器（25）の第２流路（25b）は、熱媒体回路（70）に接続する。
【０１８０】
熱媒体回路（70）は、熱媒体が循環する閉回路である。熱媒体は、水や、ブラインを含む液体などで構成される。熱媒体回路（70）は、循環ポンプ（71）を有する。循環ポンプ（71）は、熱媒体回路（70）において、第２流路（25b）の下流端と第３流路（28a）の上流端との間に接続される。
【０１８１】
〈加熱運転〉
図１８に示す加熱運転では、制御器（80）は、圧縮機（22）及び室外ファン（27）を運転させる。制御器（80）は、四方切換弁（26）を第１状態に設定する。制御器（80）は、膨張弁（24）の開度を適宜調節する。制御器（80）は、水ポンプ（53）及び循環ポンプ（71）を運転させる。
【０１８２】
熱源装置（20）は、第１冷凍サイクルを行う。第１冷凍サイクルでは、冷媒が一次側熱交換器（28）で放熱する。より詳細には、第１冷凍サイクルでは、圧縮機（22）で圧縮された冷媒が、一次側熱交換器（28）の第４流路（28b）を流れる。一次側熱交換器（28）では、第４流路（28b）の冷媒が第３流路（28a）の熱媒体へ放熱する。第４流路（28b）で放熱した、あるいは凝縮した冷媒は、膨張弁（24）で減圧された後、熱源熱交換器（23）を流れる。熱源熱交換器（23）では、冷媒が室外空気から吸熱して蒸発する。熱源熱交換器（23）で蒸発した冷媒は圧縮機（22）に吸入される。
【０１８３】
熱媒体回路（70）では、循環ポンプ（71）から吐出された熱媒体が、一次側熱交換器（28）の第３流路（28a）を流れる。第３流路（28a）の冷媒は、第４流路（28b）の冷媒によって加熱される。第３流路（28a）で加熱された冷媒は、利用熱交換器（25）の第２流路（25b）を流れ、循環ポンプ（71）に吸い込まれる。
【０１８４】
水回路（50）では、タンク（40）の低温部（L）の水が上流流路（51）へ流出する。上流流路（51）の水は、利用熱交換器（25）の第１流路（25a）を流れる。第１流路（25a）の水は、熱媒体回路（70）の熱媒体によって加熱される。第１流路（25a）で加熱された水は、下流流路（52）を流れ、タンク（40）の高温部（H）に流入する。
【０１８５】
〈冷却運転〉
図１９に示す冷却運転では、制御器（80）は、圧縮機（22）及び室外ファン（27）を運転させる。制御器（80）は、四方切換弁（26）を第２状態に設定する。制御器（80）は、膨張弁（24）の開度を適宜調節する。制御器（80）は、水ポンプ（53）及び循環ポンプ（71）を運転させる。
【０１８６】
熱源装置（20）は、第２冷凍サイクルを行う。第２冷凍サイクルでは、冷媒が一次側熱交換器（28）で蒸発する。より詳細には、第２冷凍サイクルでは、圧縮機（22）で圧縮された冷媒が、熱源熱交換器（23）で放熱する。熱源熱交換器（23）で放熱した、あるいは凝縮した冷媒は、膨張弁（24）で減圧された後、一次側熱交換器（28）の第４流路（28b）を流れる。一次側熱交換器（28）では、第４流路（28b）の冷媒が第３流路（28a）の熱媒体から吸熱する。第４流路（28b）で蒸発した冷媒は圧縮機（22）に吸入される。
【０１８７】
熱媒体回路（70）では、循環ポンプ（71）から吐出された熱媒体が、一次側熱交換器（28）の第３流路（28a）を流れる。第３流路（28a）の冷媒は、第４流路（28b）の冷媒によって冷却される。第３流路（28a）で冷却された冷媒は、利用熱交換器（25）の第２流路（25b）を流れ、循環ポンプ（71）に吸い込まれる。
【０１８８】
水回路（50）では、タンク（40）の低温部（L）の水が上流流路（51）へ流出する。上流流路（51）の水は、利用熱交換器（25）の第１流路（25a）を流れる。第１流路（25a）の水は、熱媒体回路（70）の熱媒体によって冷却される。第１流路（25a）で冷却された水は、下流流路（52）を流れ、タンク（40）の高温部（H）に流入する。
【０１８９】
−変形例Ｄの効果−
変形例Ｄの特徴（１）は、前記熱交換器（25）は、前記第１流路（25a）を流れる水と熱交換する熱媒体が流れる第２流路（25b）を有し、前記第２流路（25b）及び第２ポンプ（71）を有するとともに、前記熱媒体が循環する熱媒体回路（70）をさらに備え、前記第１運転は、前記熱源装置（20）によって前記熱媒体回路（70）の熱媒体を加熱するとともに、加熱された該熱媒体によって前記第１流路（25a）の水を加熱する運転であり、前記第２運転は、前記熱源装置（20）によって前記熱媒体回路（70）の熱媒体を冷却するとともに、冷却された熱媒体によって前記第１流路（25a）の水を冷却する運転であることである。
【０１９０】
変形例Ｄの特徴（１）によれば、熱源装置（20）と水回路（50）との間に熱媒体回路（70）が介在する。このため、熱源装置（20）とタンク（40）とが比較的遠くにある場合において、水回路（50）及び冷媒回路（21）を大型化することなく、タンク（40）に温水を溜めることができる。
【０１９１】
変形例Ｄの特徴（１）によれば、熱媒体回路（70）は閉回路であり、給水が行われない。このため、熱媒体回路（70）でのカルシウムなどの濃度は低いままである。したがって、熱源装置（20）の冷媒によって熱媒体回路（70）の水を比較的高温まで加熱したとしても、熱媒体回路（70）でスケールが発生することはほぼない。
【０１９２】
変形例Ｄの特徴（１）によれば、加熱運転において、利用熱交換器（25）の第１流路（25a）の水の温度が過剰に高くなることを抑制できる。なぜなら、加熱運転では、利用熱交換器（25）の第２流路（25b）に流入する熱媒体の温度が、一次側熱交換器（28）の第４流路（28b）に流入する過熱状態の冷媒の温度より低くなるからである。したがって、加熱運転において、利用熱交換器（25）の第１流路（25a）内でスケールが発生することを抑制できる。
【０１９３】
−変形例Ｅ（流路規制機構）−
上述した全ての実施形態の熱源装置（20）は、流路規制機構（30）を備えていてもよい。
【０１９４】
図２０に示すように、熱源装置（20）の冷媒回路（21）には、流路規制機構（30）が設けられている。流路規制機構（30）は、第１冷媒流路（31）、第２冷媒流路（32）、第３冷媒流路（33）、及び第４冷媒流路（34）を有する。これらの冷媒流路（31,32,33,34）は、ブリッジ状に接続される。第１冷媒流路（31）には第１逆止弁（CV1）が接続され、第２冷媒流路（32）には第２逆止弁（CV2）が接続され、第３冷媒流路（33）には第３逆止弁（CV3）が接続され、第４冷媒流路（34）には第４逆止弁（CV4）が接続される。各逆止弁（CV1,CV2,CV3,CV4）は、図２０における矢印の方向の冷媒の流れを許容し、その逆の流れを禁止する。
【０１９５】
第１冷媒流路（31）の流入端、及び第２冷媒流路（32）の流入端は、利用熱交換器（25）の第２流路（25b）の流入端に繋がる。第１冷媒流路（31）の流出端、及び第３冷媒流路（33）の流入端は、膨張弁（24）を介して熱源熱交換器（23）の液端部に繋がる。第２冷媒流路（32）の流出端、及び第４冷媒流路（34）の流入端は、四方切換弁（26）の第３ポートに繋がる。第３冷媒流路（33）の流出端、及び第４冷媒流路（34）の流出端は、利用熱交換器（25）の第２流路（25b）の流出端に繋がる。
【０１９６】
冷媒回路（21）では、切換機構である四方切換弁（26）により、第１冷凍サイクルと第２冷凍サイクルとが切り換えられる。流路規制機構（30）は、加熱運転において冷媒が第２流路（25b）を流れる方向と、冷却運転において冷媒が第２流路（25b）を流れる方向とを同じとする。これにより、加熱運転では、第２流路（25b）を流れる冷媒の方向と、第１流路（25a）を流れる水の方向とが逆になる。冷却運転では、第２流路（25b）を流れる冷媒の方向と、第１流路（25a）を流れる水の方向とが逆になる。言い換えると、利用熱交換器（25）は、加熱運転と冷却運転の双方において、対向流式となる。
【０１９７】
なお、水回路（50）の水の循環方向を逆向きとすることにより、利用熱交換器（25）は、加熱運転と冷却運転との双方において、並行流式であってもよい。
【０１９８】
なお、流路規制機構（30）は、四方切換弁、２つの三方弁、４つの開閉弁などで構成されてもよい。
【０１９９】
〈加熱運転〉
図２０に示す加熱運転では、制御器（80）は、圧縮機（22）及び室外ファン（27）を運転させる。制御器（80）は、四方切換弁（26）を第１状態に設定する。制御器（80）は、膨張弁（24）の開度を適宜調節する。制御器（80）は、水ポンプ（53）を運転させる。
【０２００】
熱源装置（20）は、第１冷凍サイクルを行う。第１冷凍サイクルでは、圧縮機（22）で圧縮された冷媒が、第４冷媒流路（34）を通過し、利用熱交換器（25）の第２流路（25b）を流れる。利用熱交換器（25）では、第２流路（25b）の冷媒によって第１流路（25a）の水が加熱される。第２流路（25b）で放熱した冷媒は、第１冷媒流路（31）を通過し、膨張弁（24）で減圧される。減圧された冷媒は、熱源熱交換器（23）で蒸発し、圧縮機（22）に吸入される。
【０２０１】
〈冷却運転〉
図２１に示す冷却運転では、制御器（80）は、圧縮機（22）及び室外ファン（27）を運転させる。制御器（80）は、四方切換弁（26）を第２状態に設定する。制御器（80）は、膨張弁（24）の開度を適宜調節する。制御器（80）は、水ポンプ（53）を運転させる。
【０２０２】
熱源装置（20）は、第２冷凍サイクルを行う。第２冷凍サイクルでは、圧縮機（22）で圧縮された冷媒が、熱源熱交換器（23）で放熱し、膨張弁（24）で減圧される。減圧された冷媒は、第３冷媒流路（33）を流れ、利用熱交換器（25）の第２流路（25b）を流れる。利用熱交換器（25）では、第２流路（25b）の冷媒によって第１流路（25a）の冷媒が冷却される。第１流路（25a）で冷却された冷媒は、第２冷媒流路（32）を流れ、圧縮機（22）に吸入される。
【０２０３】
−変形例Ｅの効果−
変形例Ｅの特徴（１）は、前記熱源装置（20）は、冷媒が循環して冷凍サイクルを行う冷媒回路（21）を有し、前記熱交換器（25）は、前記冷媒回路（21）の冷媒が流れる第２流路（25b）を有し、前記冷媒回路（21）は、前記第１運転において前記第２流路（25b）で冷媒が放熱する第１冷凍サイクルと、前記第２運転において前記第２流路（25b）で冷媒が蒸発する第２冷凍サイクルとを切り換える切換機構（26）と、前記第１運転において前記冷媒が前記第２流路（25b）を流れる方向と、前記第２運転において前記冷媒が前記第２流路（25b）を流れる方向とを同じとする流路規制機構（30）とを有することである。
【０２０４】
変形例Ｅの特徴（１）によれば、加熱運転と冷却運転とで、第２流路（25b）を流れる冷媒の流れが同一方向となる。加熱運転中の利用熱交換器（25）では、第２流路（25b）の流入部分の温度が高くなり易い。過熱状態の冷媒が第２流路（25b）の流入部分を流れるからである。このため、第１流路（25a）では、この流入部分に対応する箇所でスケールが生成し易い。したがって、冷却運転では、この流入部分の温度を速やかに低減するのが好ましい。
【０２０５】
冷却運転中の利用熱交換器（25）の第２流路（25b）では、加熱運転と同じ方向に冷媒が流れる。このため、最も温度が高かった流入部分を、最も温度が低い冷媒によって冷却できる。冷却運転の熱源熱交換器（23）では、凝縮後の冷媒の過冷却度を十分に確保するのがよい。
【０２０６】
なお、上記の例では、冷却運転において、制御器（80）は、水ポンプ（53）を運転させている。しかし、制御器（80）は、冷却運転において、変形例Ｃと同様、水ポンプ（53）を停止させてもよい。水ポンプ（53）を停止すると、第１流路（25a）における上記流入部分に対応する箇所の温度をより速やかに低減できる。
【０２０７】
−変形例Ｆ（給水部及び排水部）−
上述した全ての実施形態の熱源装置（20）は、給水部及び排水部を備えていてもよい。
【０２０８】
図２２に示すように、水回路（50）には、給水部である給水管（63）と、排水部である排水管（64）とが接続される。給水管（63）は、上流流路（51）に接続される。給水管（63）は、水ポンプ（53）の上流側に接続される。給水管（63）は、水ポンプ（53）の下流側に接続されてもよい。給水管（63）は、水源の低温水を利用熱交換器（25）の第２流路（25b）に供給する供給部を構成している。排水管（64）は、下流流路（52）に接続される。上述した実施形態のうち、下流流路（52）に第１三方弁（54）がある構成においては、  排水管（64）は第１三方弁（54）の上流側に接続するのが好ましい。
【０２０９】
変形例Ｆの冷却運転では、制御器（80）が第１制御弁（65）及び第２制御弁（66）を開放する。これにより、給水管（63）から上流流路（51）に水が供給される。同時に利用熱交換器（25）の第２流路（25b）の水が、排水管（64）を介して水回路（50）の外部へ排出される。
【０２１０】
なお、給水部は、水源からタンク（40）を経由して水を供給する構成であってもよい。
【０２１１】
−変形例Ｆの効果−
変形例Ｆの特徴（１）は、前記水回路（50）は、前記第２運転において前記水回路（50）に水を供給する給水部（63）と、前記第２運転において前記水回路（50）の水を排出する排水部（64）とを有することである。
【０２１２】
変形例Ｆの特徴（１）によれば、冷却運転において、水回路（50）に残存するスケールを水回路（50）の外部へ排出できる。第２流路（25b）の内壁から剥がれたスケールを水回路（50）の外部へ排出できる。
【０２１３】
変形例Ｆの特徴（２）は、前記第２運転において低温水を前記熱交換器（25）の第１流路（25a）に供給する供給部（51,63）を備えていることである。
【０２１４】
変形例Ｆの特徴（２）によれば、供給部である給水管（63）から第２流路（25b）へ低温水を供給できる。これにより、冷却運転において、第２流路（25b）及び下流流路（52）の水の温度を速やかに低減できる。
【０２１５】
−変形例Ｇ（捕集部）−
上述した全ての実施形態の熱源装置（20）は、スケールを捕集する捕集部（67）を備えていてもよい。
【０２１６】
図２３に示すように、水回路（50）には捕集部（67）が設けられる。捕集部（67）は、水回路（50）の下流流路（52）に接続される。上述した実施形態のうち、下流流路（52）に第１三方弁（54）がある構成においては、捕集部（67）は第１三方弁（54）の上流側に接続するのが好ましい。捕集部は、ストレーナのようなスケールを補足する網を有する部材であってもよいし、スケールの堆積を促すような表面積の大きな部材であってもよい。
【０２１７】
変形例Ｇの冷却運転では、水回路（50）に残存するスケールを捕集部（67）に捕集できる。第２流路（25b）の内壁から剥がれたスケールを捕集部（67）に捕集できる。
【０２１８】
《その他の実施形態》
上述した実施形態、及び変形例においては、以下のような構成としもよい。
【０２１９】
熱源装置（20）は、水回路（50）の水の加熱、及び冷却を可能であれば如何なる方式であってもよい。熱源装置（20）は、吸収式、吸着式、磁気冷凍式のヒートンポンプ装置であってもよいし、ペルチェ素子であってもよい。
【０２２０】
制御器（80）は、熱源装置（20）用の第１制御部と、水回路（50）用の第２制御部とによって構成されてもよい。
【０２２１】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０２２２】
本開示は、給湯装置について有用である。
【符号の説明】
【０２２３】
１０      給湯装置
２０      熱源装置
２１      冷媒回路
２５      利用熱交換器（熱交換器）
２５ａ    第１流路
２５ｂ    第２流路
２６      四方切換弁（切換機構）
３０      流路規制機構
４０      タンク
５０      水回路
５１      上流流路（供給部）
５３      水ポンプ（第１ポンプ）
５８      低温戻し流路
６２      スケール検出部
６３      給水管（給水部）
６４      排水管（排水部）
７０      熱媒体回路
７１      循環ポンプ（第２ポンプ）
８０      制御器
Ｈ        高温部（第１部）
Ｍ        中温部（第２部）
Ｌ        低温部（第２部）
【図１】
0006919696.tif 000002
【図２】
0006919696.tif 000003
【図３】
0006919696.tif 000004
【図４】
0006919696.tif 000005
【図５】
0006919696.tif 000006
【図６】
0006919696.tif 000007
【図７】
0006919696.tif 000008
【図８】
0006919696.tif 000009
【図９】
0006919696.tif 000010
【図１０】
0006919696.tif 000011
【図１１】
0006919696.tif 000012
【図１２】
0006919696.tif 000013
【図１３】
0006919696.tif 000014
【図１４】
0006919696.tif 000015
【図１５】
0006919696.tif 000016
【図１６】
0006919696.tif 000017
【図１７】
0006919696.tif 000018
【図１８】
0006919696.tif 000019
【図１９】
0006919696.tif 000020
【図２０】
0006919696.tif 000021
【図２１】
0006919696.tif 000022
【図２２】
0006919696.tif 000023
【図２３】
0006919696.tif 000024